(57)【要約】【課題】修理依頼主の生活の安穏をおかすことなく、正確な建具を修理／製作できる、建具を回収してリサイクルするシステム。【解決手段】建具製作会社Ｂが、建具１の修理・交換あるいは製作を受注する修理受注課程、建具製作会社Ｂが運送業者Ｃに建具１の引き取りに行くように指示する指示課程、顧客Ａが建具を運送業者に引き渡す課程、運送業者が受取った建具を製作会社Ｂへ運搬する運送課程、製作会社Ｂが現物の建具１から採寸する課程、採寸後に修理の可否を判断し、修理可能な建具は修理し、修理不可の建具は廃棄業者Ｄへ回し、新規製作するものは製作する修理・製作課程、修理・製作した建具を運送業者にて宅配する配達課程とからなる、建具リサイクルシステム。【選択図】図１
2015203929.tif 000002
【特許請求の範囲】
【請求項１】
建具製作会社が、ホームページにて、フスマ、障子、パネル、ドア、間仕切り等の建具の修理・交換あるいは製作の依頼を顧客より受注する修理受注課程、建具製作会社がその依頼を運送業者に伝達し、運送業者に顧客のもとへ建具の引き取りに行くように指示する指示課程、顧客が、自分で敷居・鴨居、レール等から取り外した建具を運送業者に渡す引き渡し課程、運送業者が受取った建具を修理・製作を行う建具製作会社へ運搬する運送過程、建具製作会社が取り外してきた現物の建具から採寸する採寸課程、採寸後に、修理不可の建具は廃棄業者へ回し、回収してリサイクル可能なものとを判断して選別し、修理可能な建具は修理し、新規製作するものは、製作する修理・製作課程、および修理・製作した建具を運送業者にて宅配する配達課程とからなる、現物から採寸することにより、取付け先の住居内の敷居・鴨居あるいはレール等に正確にはめ込み可能な建具を再現して修理・製作できることを特徴とする建具リサイクルシステム。
【請求項２】
顧客Ａより、建具製作会社Ｂにネットワークを介して送信された調査票の内容および顧客情報が、建具製作会社ＢのＰＣの記憶部に格納され、同時に、建具製作会社Ｂからの依頼が、調査票とともにネットワークを介して運送業者Ｃに伝達され、運送業者Ｃに対して、顧客Ａのもとへ建具の引き取りに行く指示が送信されることを特徴とする請求項１に記載の建具リサイクルシステム
【請求項３】
前記修理受注課程で、修理・交換する建具の数量および縦、横、厚さの寸法ならびに一人で取り外せるか、持てる重さか否か、さらに、ガラス等壊れやすい部分の有無等を顧客に記入させる調査票をホームページに用意することを特徴とする請求項１あるいは２に記載の建具リサイクルシステム。
【請求項４】
建具を修理に出している間、その建具の空いたスペースに代替の建具を貸し出しする請求項１乃至３のうちの１に記載の建具リサイクルシステム。
【発明の詳細な説明】
【技術分野】
【０００１】
本発明は、フスマ、障子、パネル、ドア、間仕切り等の建具の回収・修理／製作・納品のリサイクルシステムに関するものである。
【背景技術】
【０００２】
従来、フスマ、障子、パネル、ドア、間仕切り等の建具は、住居の建築当初は建具の製作会社が建築施工会社に納品して住居内に設置される。年月が経過して住居内に設置された建具の修理・交換を希望するときは、建具修理業者を探し出し依頼している。修理・交換は、修理業者が現住している住居に入り込み、その住居の一室あるいは庭もしくは近辺のスペースに建具を外して移動させて修理している。交換の場合は、建具が設置されている住居へ訪問して採寸を行なっている。
【発明の概要】
【発明が解決しようとする課題】
【０００３】
解決しようとする問題点は、従来の建具の修理方法であると、まず、建具修理業者を探し出すのが大変です。建具専門の相談する窓口もなく、都会部であると探し出すことはほとんど困難である。そして見つけ出した後も、作業者が出張してきて住居内に立ち入るので生活の安穏が壊されるおそれおよび犯罪等の危険を内包するものである。しかも現場にて作業が行われるため住居者の拘束時間が長くなってしまう。フスマ・障子の貼り替えの場合は、ローラを有する張替え機が現場に持ち込まれ、場所をとって行われ、作業によって半日〜２日掛かっている。そして騒音による近隣問題が生じる恐れもある。しかも費用は、通常、時間料金制であるため、前もって料金が正確にわからない不安がある。
さらにまた、現場での修理ではなく、建具を交換する場合も、業者が現場に行き採寸を行うのでその手間分の費用および時間が掛かることになる。
【課題を解決するための手段】
【０００４】
前記したように建具の製作会社は、製作専門であり、当初の建築時は、建築施工会社に対して建具を納品するだけなので、建具を使用する施主である居住者（依頼主）と生産者との直接の接触がない。したがって、建具を修理、交換する依頼主は、ネット上で修理・製作会社を探索して、修理・交換を依頼する。その際依頼者はネット上の修理・製作会社のホームページに用意された調査票に、例えば、修理・交換する建具の数量および縦、横、厚さの寸法ならびに一人で外すことができるか、そして一人で持てる重さか否か等を記入する。また、建具の従来の仕様と異なる仕様への変更・希望、さらにはガラス等壊れやすい箇所の有無等を記入する欄も用意しておくとよい。依頼を受けた修理・製作会社は、建具を回収するために運送業者を依頼者に差し向ける。その時、前記調査票も運送業者に回覧する。依頼主は自分で建具を取り外し、運送業者に渡す。修理・製作会社は、送られてきた建具の現物から採寸し、この採寸にあたっては、経年劣化による寸法変化を考慮し、そして調査票に沿って修理／製作して納品する。
【発明の効果】
【０００５】
本発明によれば、依頼主の住居内に立ち入ることなく行えるので生活の安穏をくずすことなく、そして工場で、依頼主から送られてきた現物にて、経年劣化を考慮しながら、採寸して修理、製作できることで、正確な製品を仕上げることができ、さらに不要となった建具は、回収してリサイクルできるので環境に良いものとなる。依頼主は、自宅にいたままで、建具の修理・交換の依頼ができるので便利である。そしてこの時に、依頼主である消費者と生産者間にはネットワークが形成され、今後のメンテナンスおよびその他の建具の修理・交換のニーズにつなげることが可能となる。
【図面の簡単な説明】
【０００６】
【図１】図１は、本発明のリサイクルシステムを示すブロック図である。
【発明を実施するための形態】
【０００７】
フスマ、障子、パネル、ドア、間仕切り等の取り外し可能な建具１の修理あるいは交換を依頼する顧客Ａは、建具製作会社Ｂのホームページにアクセスして、修理あるいは交換を依頼する。その際、ホームページに用意された調査票に、修理・交換する建具の数量および縦、横、厚さの寸法ならびに一人で取り外しできるか、そして一人で持てる重さか否か、さらに、ガラス等壊れやすい箇所の有無等、さらにまた仕様の変更・希望を記入してもらう。顧客Ａより、建具製作会社Ｂに、その修理依頼と調査票がネットワークを介して送信され、建具製作会社ＢのＰＣの記憶部に、顧客情報および調査票の内容が格納され、同時に、建具製作会社Ｂから、その依頼が、調査票とともにネットワークを介して運送業者Ｃに伝達あるいは転送され、運送業者Ｃに対して、顧客Ａのもとへ建具の引き取りに行く指示が送くられる。
【０００８】
顧客Ａは、比較的軽量であるフスマ、障子、パネル、ドア、間仕切り等の建具１を、自分で敷居・鴨居、レール等から外し、訪問してきた運送業者Ｃに渡す。運送業者Ｃは、受け取った建具１を、修理／製作を行う建具製作会社Ｂへ運ぶ。
【０００９】
建具製作会社Ｂは、取り外してきた現物の建具１から採寸し、修理可能な建具以外は、選別して廃棄あるいは回収してリサイクルへ回す。現物から採寸したことにより、取り付け先の住居内の敷居・鴨居あるいはレール等に、正確にはめ込み可能な建具１を修理あるいは新規製作し、再び運送業者Ｃにより宅配する。宅配先の住居においては必要に応じて建付けの微調整を行う。この微調整は、顧客等の素人でも簡単に行えるような公知の調整部を構成しておく。あるいは必要に応じて建具製作会社より担当者が訪問するようにする。
【００１０】
建具製作会社Ｂは、ＰＣに記憶させた顧客の建具の寸法等の調査票データにて、次回の修理時期、他の建具のメンテ等のサービスを行なう。
なお、建具を修理あるいは交換に出している間、その建具の空いたスペースに代替の建具を貸出しするようにすると便利である。
【符号の説明】
【００１１】
１    建具
Ａ    顧客
Ｂ    製作会社
Ｃ    運送業者
Ｄ    廃棄業者
【図１】
2015203929.tif 000003